(57)【要約】【課題】  機械鍵の携帯性を向上させることができる携帯電話におけるケース構造体を提供する。【解決手段】  バッテリ蓋部３は、携帯電話１の筐体本体２に設けられた装着部２ａに着脱可能に構成されている。バッテリ蓋部３には、セキュリティ装置のセキュリティ機能の設定・解除を行うための機械鍵５を収容する収容部３ｂが設けられている。【選択図】      図１
2007085028.tif 000002
【特許請求の範囲】
【請求項１】
携帯電話の筐体構成部品からなり、該携帯電話の筐体本体に設けられた装着部に着脱可能に構成され、セキュリティ装置のセキュリティ機能の設定・解除を行うための機械鍵を収容する収容部を有することを特徴とする携帯電話におけるケース構造体。
【請求項２】
前記収容部に対する前記機械鍵の収容有無を検知可能な検知手段を備えることを特徴とする請求項１に記載の携帯電話におけるケース構造体。
【請求項３】
前記検知手段は意匠面に設けられた窓部であり、該窓部を介して前記収容部に対する前記機械鍵の収容有無を視認可能となっていることを特徴とする請求項２に記載の携帯電話におけるケース構造体。
【請求項４】
前記検知手段は、前記収容部に対する前記機械鍵の収容有無を電気的に検出する検出部と、該機械鍵が収容されていない場合にその旨を報知する報知手段を備えていることを特徴とする請求項２に記載の携帯電話におけるケース構造体。
【発明の詳細な説明】
【技術分野】
【０００１】
本発明は、携帯電話におけるケース構造体に関するものである。
【背景技術】
【０００２】
一般に、車両や住宅の最も基本的なセキュリティ装置であるドア錠を施解錠するためには、機械鍵が用いられている。こうした機械鍵は、通常、車両オーナや家人等のユーザによって常に所持される必要がある。
【０００３】
また、従来、例えば特許文献１に示されるように、無線通信機能を有する電子キーを用いて車両のドア錠を施解錠やエンジンの始動許可を行うセキュリティ制御装置が提案されている。この種の電子キーは、車載装置との無線通信を行うことにより、遠隔操作によってドア錠を施解錠させたり、エンジンの始動許可及び始動禁止を切り換えたりすることを可能とするものである。しかし、こうした電子キーには無線通信を行うためのバッテリが必要であるため、バッテリが消耗してしまうと無線通信を行うことができなくなってしまい、ドア錠の施解錠やエンジンの始動許可といったセキュリティ機能の解除ができなくなってしまう。このため、こうした電子キーを用いたセキュリティ制御装置においては、通常、エマージェンシーキーとしての機械鍵が付属されており、バッテリの消耗時には該機械鍵を用いることによってドア錠の施解錠やエンジンの始動が可能となっている。
【特許文献１】特開２００１−３１１３３３号公報
【発明の開示】
【発明が解決しようとする課題】
【０００４】
しかしながら、こうした機械鍵は、単体で所持する必要がある。一般に、機械鍵は携帯性が低いため、キーホルダやキーケースなどを用いることによって携帯性が高められている。また、特許文献１に示されるような電子キーでは、電子キー内に機械鍵を収容することによって機械鍵の携帯性を高めることも提案されているが、そもそもこうした電子キーにおいては機械鍵の使用頻度が低いため、該機械鍵を常に所持することはユーザにとって煩雑であり、結果として携帯性が低い。
【０００５】
本発明はこうした実情に鑑みてなされたものであり、その目的は、機械鍵の携帯性を向上させることができる携帯電話におけるケース構造体を提供することにある。
【課題を解決するための手段】
【０００６】
上記の課題を解決するために、請求項１に記載の発明では、携帯電話の筐体構成部品からなり、該携帯電話の筐体本体に設けられた装着部に着脱可能に構成され、セキュリティ装置のセキュリティ機能の設定・解除を行うための機械鍵を収容する収容部を有することを要旨とする。
【０００７】
請求項２に記載の発明では、請求項１に記載の携帯電話におけるケース構造体において、前記収容部に対する前記機械鍵の収容有無を検知可能な検知手段を備えることを要旨とする。
【０００８】
請求項３に記載の発明では、請求項２に記載の携帯電話におけるケース構造体において、前記検知手段は意匠面に設けられた窓部であり、該窓部を介して前記収容部に対する前記機械鍵の収容有無を視認可能となっていることを要旨とする。
【０００９】
請求項４に記載の発明では、請求項２に記載の携帯電話におけるケース構造体において、前記検知手段は、前記収容部に対する前記機械鍵の収容有無を電気的に検出する検出部と、該機械鍵が収容されていない場合にその旨を報知する報知手段を備えていることを要旨とする。
【００１０】
以下、本発明の「作用」について説明する。
請求項１に記載の発明によると、携帯電話の筐体本体にケース構造体を装着することにより、機械鍵を内蔵した携帯電話とすることができるため、ユーザは携帯電話と機械鍵とをそれぞれ単体で所持する必要がない。よって、機械鍵の携帯性を向上させることができる。
【００１１】
請求項２に記載の発明によると、収容部内に機械鍵が収容されているか否かが検知手段によって検知されるため、ユーザはその旨を容易且つ確実に認識可能となる。
請求項３に記載の発明によると、ユーザは、窓部を介して収容部を視認することにより、該収容部内に機械鍵が収容されているか否かを容易に認識可能となる。
【００１２】
請求項４に記載の発明によると、収容部に機械鍵が収容されていない場合にはその旨が報知されるため、ユーザは収容部に対する機械鍵の収容有無を確実に認識することができる。
【発明の効果】
【００１３】
以上詳述したように、本発明によれば、機械鍵の携帯性を向上させることができる携帯電話におけるケース構造体を提供することができる。
【発明を実施するための最良の形態】
【００１４】
（第１実施形態）
以下、本発明を具体化した第１実施形態を図１に基づき詳細に説明する。
図１（ａ）に示すように、携帯電話１は、筐体本体２とその筐体本体２に設けられた装着部２ａに着脱可能なケース構造体としてのバッテリ蓋部３とを備えている。筐体本体２において装着部２ａが設けられた箇所には、図示しない電話機能部への電力供給を行う電話用バッテリ４を収容するバッテリ収容部２ｂが設けられている。このため、バッテリ蓋部３は、筐体本体２の装着部２ａに装着された際に、バッテリ収容部２ｂを覆った状態となる。
【００１５】
バッテリ蓋部３は平面視で略長方形状をなし、バッテリ収容部２ｂ側の面（収容部側面）３ａには、平面視で略「く」字状をなす凹所からなる収容部３ｂが設けられている。そして、この収容部３ｂには、セキュリティ装置のセキュリティ機能の設定・解除を行うための機械鍵５を収容可能となっている。すなわち、例えばセキュリティ装置として車両や住宅のドア錠装置を適用した場合、機械鍵５はドア錠の施解錠を行うためのものとなる。この機械鍵５は、平面視で略「く」字状をなす平板状物であり、把持部５ａと、その把持部５ａから直角に屈曲する鍵部５ｂとを備えている。この機械鍵５は、収容部３ｂ内に収容されると、収容部３ｂの内側面などに設けられた図示しない係合部に係合するようになっている。このため、収容部３ｂに収容された状態において機械鍵５は、収容部３ｂから取り出される方向に外力が加わらない限り、収容部３ｂ内に固定された状態となる。
【００１６】
これら筐体本体２及びバッテリ蓋部３には互いに係合する図示しない係合部がそれぞれ設けられ、それら係合部同士が係合することにより、図１（ｂ）に示すように筐体本体２にバッテリ蓋部３が装着されるようになっている。このため、筐体本体２にバッテリ蓋部３が装着された状態においては、電話用バッテリ４とバッテリ蓋部３との間に機械鍵５が介在された状態となる。なお、各係合部は、解除方向にある程度の応力（人の手の力程度の応力）が加わった際に解除するようになっている。これにより、筐体本体２に対してバッテリ蓋部３を着脱可能となっている。また、本実施形態において、バッテリ蓋部３における収容部側面３ａと反対側の面（意匠面）３ｃは、バッテリ蓋部３が筐体本体２に装着された際に、該意匠面３ｃと接する筐体本体２の面２ｃとが面一になるように設定されている。しかし、これに限らず、例えばバッテリ蓋部３の意匠面３ｃが筐体本体２の面２ｃよりも突出するように設定されていてもよい。
【００１７】
図１（ｂ）に併せ示すように、バッテリ蓋部３の意匠面３ｃにおいて収容部３ｂと対応する箇所には、検知手段としての窓部６が形成されている。この窓部６は、平面視で略四角形状をなし、透明な合成樹脂などといった透過材料によって構成され、意匠面３ｃから収容部３ｂの底部まで貫通して設けられている。このため、ユーザは、該意匠面３ｃから収容部３ｂ内の様子を、窓部６を介して視認することが可能となる。すなわち、ユーザは、窓部６から収容部３ｂ内の様子を視認することにより、該収容部３ｂに機械鍵５が収容されているか否かを判断することが可能となる。
【００１８】
したがって、本実施形態によれば以下のような効果を得ることができる。
（１）収容部３ｂに機械鍵５を収容した状態でバッテリ蓋部３を携帯電話１の筐体本体２に装着することにより、機械鍵５を内蔵した携帯電話１とすることができる。このため、ユーザは携帯電話１と機械鍵５とをそれぞれ単体で所持する必要がない。よって、機械鍵５の携帯性を向上させることができる。
【００１９】
特に、こうした機械鍵５が電子キーのエマージェンシーキーとして利用される場合には、機械鍵５が頻繁に使用されることはないため、収容部３ｂに収容しておくことにより、機械鍵５の紛失も好適に抑制することができる。また、電子キー内に機械鍵５を収容することも考えられるが、該電子キーを紛失したり盗難されたりした場合、ユーザは機械鍵もろとも失ってしまうこととなり、利便性の点からも課題が残る。これに対し、本実施形態では、電子キーと機械鍵５とは別体となるため、仮にそれらの一方を紛失したり盗難されたりしても、他方によってセキュリティ装置を設定・解除することができ、高い利便性を確保することができる。
【００２０】
（２）通常、電話用バッテリ４はメンテナンスが必要なためバッテリ蓋部３は携帯電話１の筐体本体２に対して容易に着脱可能となっている。このため、こうしたバッテリ蓋部３に機械鍵５を収容可能とすることにより、筐体本体２に対する機械鍵５の装着や変更が容易となる。
【００２１】
（３）ユーザは、窓部６を介して収容部３ｂを視認することにより、該収容部３ｂ内に機械鍵５が収容されているか否かを容易に認識することができる。しかも、バッテリ蓋部３に窓部６を設けるだけで済むため、構造も非常に簡単で済む。また、携帯電話１を他者に一時的に貸したり預けたりした場合などにも、返却された携帯電話１に機械鍵５が収容されているか否かを即座に認識することができる。
【００２２】
（第２実施形態）
次に、本発明を具体化した第２実施形態を図２及び図３に基づいて説明する。ここでは第１実施形態と相違する点を主に述べ、共通する点については同一部材番号を付すのみとしてその説明を省略する。
【００２３】
本実施形態において第１実施形態と異なる点は、図２（ａ），（ｂ）に示すように、バッテリ蓋部３に窓部６が設けられていない点と、該バッテリ蓋部３に報知制御装置１０が設けられている点である。
【００２４】
報知制御装置１０は、バッテリ蓋部３の収容部側面３ａに設けられた検出部１１と、バッテリ蓋部３内に設けられた制御部１２と、バッテリ蓋部３の意匠面３ｃに設けられた報知手段としての報知部１３とを備えている。
【００２５】
図３に示すように、検出部１１は、バッテリ蓋部３内に設けられて制御部１２及び報知部１３に電力を供給する図示しないバッテリに一方の接点が接続され、他方の接点が制御部１２に接続されたモーメンタリスイッチによって構成されている。これにより、検出部１１のＯＮ状態（閉状態）においては制御部１２に対してＨレベルの信号が入力され、検出部１１のＯＦＦ状態（開状態）においては制御部１２に対してＬレベルの信号が入力されるようになっている。こうしたの検出部１１は、バッテリ蓋部３が筐体本体２に装着された状態においては、該筐体本体２の装着部２ａによって押圧された状態となってＯＮ状態となる。一方、検出部１１は、バッテリ蓋部３が筐体本体２から取り外されるとＯＦＦ状態となる。このため、バッテリ蓋部３が筐体本体２に装着されている状態においては制御部１２にＨレベルの信号が入力され、バッテリ蓋部３が筐体本体２から取り外されている状態においては制御部１２にＬレベルの信号が入力されることとなる。
【００２６】
制御部１２は、具体的には図示しないＣＰＵ、ＲＯＭ、ＲＡＭ等からなるＣＰＵユニットであり、検出部１１からＬレベルの信号が入力されると、報知部１３に作動信号を出力する。
【００２７】
本実施形態において報知部１３はＬＥＤによって構成され、制御部１２から作動信号が入力されると発光する。なお、報知部１３は、ユーザの視覚に訴えかけることによって報知を促すことができるものであればこうしたＬＥＤに限定されない。また、報知部１３はブザー等、ユーザの聴覚に訴えかけることによって報知を促すものによって構成されてもよい。
【００２８】
なお、制御部１２は、検出部１１からＬレベルの信号が入力されると、その後、検出部１１からＨレベルの信号が入力されるようになったとしても、こうした作動信号を出力し続けるようになっている。すなわち、制御部１２は、検出部１１からＬレベルの信号が入力されると、その後ずっと作動信号を報知部１３に出力し続けるようになっている。このため、例えばユーザが携帯電話１を所持していない期間が存在した場合であっても、その期間内にバッテリ蓋部３が筐体本体２から取り外された形跡があるか否かを、報知部１３の作動有無によって確実に認識することができる。そして、バッテリ蓋部３が筐体本体２から取り外された形跡、すなわち筐体本体２に対するバッテリ蓋部３の取り外し履歴がある場合には機械鍵５が収容部３ｂから抜き取られているおそれがあるため、こうした報知部１３の作動によって機械鍵５の有無確認をユーザに促すことができる。
【００２９】
また、本実施形態において制御部１２は、報知部１３の作動状態にあっては、検出部１１が所定の態様でＯＮ状態とＯＦＦ状態とが切り換えられる操作が行われた際に、作動信号の出力を停止するようになっている。具体的には、例えば検出部１１が１秒間に３回ＯＦＦ状態からＯＮ状態に切り換えられ、その後３秒以上経過してから再びＯＮ状態に切り換えられた場合に、制御部１２は作動信号の出力を停止するようになっている。なお、こうした作動信号の出力を停止させるための操作パターンはユーザによって自由に設定可能となっていてもよい。このため、ユーザのみが報知部１３の作動を停止させることができるとともに、該報知部１３の作動によって消費される電力量も抑制することができる。
【００３０】
したがって、本実施形態によれば、前記第１実施形態における上記（１），（２）に記載の効果に加えて、以下のような効果を得ることができる。
（４）筐体本体２からバッテリ蓋部３が取り外されると、その旨が報知部１３によって報知される。こうした報知はバッテリ蓋部３が再び筐体本体２に装着されても継続されるため、ユーザは、携帯電話１を所持していない期間が存在した場合であっても、その間にバッテリ蓋部３が取り外されたか否かを該報知によって確実に認識することができる。機械鍵５はバッテリ蓋部３を筐体本体２から取り外さない限り取り出すことができないため、該報知がなされた場合には機械鍵５が収容部３ｂから抜き取られているおそれがある。よって、該報知により、機械鍵５の有無確認をユーザに促すことができる。
【００３１】
（５）バッテリ蓋部３には窓部６が存在しないため、機械鍵５を収容可能なバッテリ蓋部３であるか否かを第三者は一見して判断することができない。よって、機械鍵５を盗難しようとする意思をもつ第三者の標的になりにくくすることができ、機械鍵５の高い防犯性も確保することができる。
【００３２】
なお、本発明の実施形態は以下のように変更してもよい。
・  前記第２実施形態において、例えば図４に示すように、前記検出部１１を収容部３ｂの内壁面に設け、該検出部１１がＯＦＦ状態の場合にのみ制御部１２から報知部１３に作動信号を出力させるようにしてもよい。このようにすれば、収容部３ｂに機械鍵５が収容されていない場合にのみ報知部１３が作動することとなる。よって、ユーザは、報知部１３の作動有無に基づいて機械鍵５の収容有無を確実に認識することができる。
【００３３】
なお、こうした変更例においては、制御部１２を省略し、検出部１１のＯＮ状態において報知部１３が直接作動するように構成してもよい。すなわちこの場合、検出部１１がＯＮ状態となった場合にのみ報知部１３に電力が供給されるようになっていてもよい。このようにすれば、報知制御装置１０の構成を簡素化することができる。
【００３４】
・  前記第２実施形態において、報知制御装置１０は、電話用バッテリ４からの電力によって作動してもよい。但しこの場合、バッテリ蓋部３及び筐体本体２の装着部２ａに、電話用バッテリ４と報知制御装置１０とを電気的に接続するための電極が必要となる。こうした場合、制御部１２は、電話用バッテリ４と電気的に接続されなくなったことをもってバッテリ蓋部３が筐体本体２から取り外されたと認識可能であるため、検出部１１を省略することができる。但しこの場合、電話用バッテリ４との電気的な接続がなくなったことを制御部１２が認識できる必要があるため、コンデンサや二次電池などを報知制御装置１０に設けることが望ましい。
【００３５】
・  前記各実施形態のバッテリ蓋部３において、収容部３ｂを覆うカバーを装着可能とし、バッテリ蓋部３を筐体本体２に装着した際に、機械鍵５と電話用バッテリ４との間がカバーによって隔絶されるようになっていてもよい。
【００３６】
・  前記各実施形態において、機械鍵５が収容されるケース構造体は、バッテリ蓋部３に限らず、携帯電話１の構成部品の一部をなし、機械鍵５の収容部３ｂを有するとともに筐体本体２に対して着脱可能となっているものであれば何を適用してもよい。
【００３７】
・  前記各実施形態において、窓部６や報知制御装置１０を省略してもよい。
・  セキュリティ装置は、車両や住宅のドア錠装置に限らず、例えば車両におけるエンジン始動許可装置や車両や住宅の侵入者監視装置といった防犯を目的とする装置であればよく、機械鍵５はこうしたセキュリティ装置の設定・解除を行うためのものであればよい。
【００３８】
次に、特許請求の範囲に記載された技術的思想のほかに、前述した実施形態によって把握される技術的思想を以下に列挙する。
（１）  請求項１に記載の携帯電話におけるケース構造体において、前記筐体本体から当該ケース構造体が取り外されたことを検出する取外検出手段と、該ケース構造体が取り外されたことが検出された場合には、その旨を、その後の前記筐体本体に対する該ケース構造体の装着有無にかかわらず報知する報知手段とを備えること。
【００３９】
（２）  請求項１または請求項２に記載の携帯電話におけるケース構造体において、前記検知手段は、筐体本体から当該ケース構造体が取り外されたことを検出することによって前記収容部に対する前記機械鍵の収容有無を検知する取外検出部であり、前記報知手段は、該ケース構造体が取り外されたことが検出された場合に、その旨を、その後の前記筐体本体に対する該ケース構造体の装着有無にかかわらず報知すること。
【００４０】
上記技術的思想（１），（２）に記載の発明によれば、収容部に対する機械鍵の有無確認をユーザに促すことができる。
（３）  請求項１〜４、技術的思想（１），（２）のいずれか１項に記載の携帯電話におけるケース構造体において、当該ケース構造体は、携帯電話のバッテリを覆うバッテリ蓋部であること。この技術的思想（３）に記載の発明によれば、筐体本体に対する機械鍵の装着や変更が容易となる。
【図面の簡単な説明】
【００４１】
【図１】（ａ）は本発明の第１実施形態の携帯電話の概略構成を示す分解斜視図、（ｂ）は組付状態を示す斜視図。
【図２】（ａ），（ｂ）は、第２実施形態のケース構造体の概略構成を示す斜視図。
【図３】同実施形態の電気的構成を概略的に示すブロック図。
【図４】他の実施形態のケース構造体の概略構成を示す斜視図。
【符号の説明】
【００４２】
１…携帯電話、２…筐体本体、２ａ…装着部、３…ケース構造体としてのバッテリ蓋部、３ｂ…収容部、３ｃ…意匠面、５…機械鍵、６…検知手段としての窓部、１０…報知制御装置、１１…検知手段としての検出部、１３…報知手段としての報知部。
【図１】
2007085028.tif 000003
【図２】
2007085028.tif 000004
【図３】
2007085028.tif 000005
【図４】
2007085028.tif 000006